(57)【要約】      （修正有）【課題】ＲＦＩＤタグおよびラベルを一度に物品に貼付して、物品管理を行う物品管理方法および物品管理システムを提供する。【解決手段】物品管理システム１０は、ＲＦＩＤタグ２２への物品情報の書き込み部３２およびラベルへの物品情報の印字部３３を備えたラベル貼付機３０を用いて前記ＲＦＩＤタグ２２に前記物品情報が書き込まれるとともに、前記ラベルに前記物品情報が印字され、前記ラベル貼付機３０を用いて物品に貼付されたＲＦＩＤタグ付きラベルと、ＲＦＩＤタグ２２に記憶された前記物品情報を無線電波により読み取って、前記物品情報の集計を行う読取装置４０と、を備えた構成である。【選択図】図１
2006327822.tif 000002
【特許請求の範囲】
【請求項１】
ＲＦＩＤタグ付きラベルを物品に貼付し、前記ＲＦＩＤタグに記憶された物品情報を読み取って前記物品を管理する物品管理方法であって、
ラベル貼付機に設けられた印字部でラベルに物品情報を印字するとともに、印字された前記ラベルに付されたＲＦＩＤタグに対して前記ラベル貼付機に設けられた書き込み部で物品情報を書き込んで、前記ＲＦＩＤタグ付きラベルを前記物品に貼付し、
前記ＲＦＩＤタグから出力される電波を読取装置で無線読み取りして、前記ＲＦＩＤタグに記憶された前記物品情報を得て、読み取った物品情報を集計する、
ことを特徴とする物品管理方法。
【請求項２】
前記ＲＦＩＤタグに書き込まれる前記物品情報は、前記ラベル貼付機から離れた所に設けられた情報入力装置で入力され、無線通信により前記ラベル貼付機に設けられた前記書き込み部に出力されることを特徴とする請求項１に記載の物品管理方法。
【請求項３】
前記物品に付された情報コードを読み取って、この情報コードに記録されている情報を前記物品情報とすることを特徴とする請求項２に記載の物品管理方法。
【請求項４】
前記物品は、店舗に陳列される商品であり、
前記ラベル貼付機に設けられた前記印字部で前記ラベルに商品情報を印字するとともに、前記ラベル貼付機に設けられた前記書き込み部で前記ＲＦＩＤタグに商品の商品情報を書き込み、
前記読取装置は、前記商品情報と前記商品の価格との対応付けを予め記憶して、前記ＲＦＩＤタグから読み取った前記識別情報から前記商品の価格を集計する、
ことを特徴とする請求項１ないし３のいずれかに記載の物品管理方法。
【請求項５】
前記読取装置は、前記集計が終わると、前記物品に集計済み情報を書き込むことを特徴とする請求項１ないし４のいずれかに記載の物品管理方法。
【請求項６】
ＲＦＩＤタグへの物品情報の書き込み部およびラベルへの物品情報の印字部を備えたラベル貼付機を用いて前記ＲＦＩＤタグに前記物品情報が書き込まれるとともに、前記ラベルに前記物品情報が印字され、前記ラベル貼付機を用いて物品に貼付されたＲＦＩＤタグ付きラベルと、
ＲＦＩＤタグに記憶された前記物品情報を無線電波により読み取って、前記物品情報の集計を行う読取装置と、
を備えたことを特徴とする物品管理システム。
【請求項７】
前記ラベル貼付機は、
前記ＲＦＩＤタグ付きラベルが供給される搬送路を有し、
前記搬送路の周囲に、前記書き込み部から放射される電磁波の遮蔽手段を配設し、
前記搬送路の先端部を当該電磁波遮蔽手段から露出させて、前記先端部に前記書き込み部および前記印字部を配設し、前記先端部に供給された前記ＲＦＩＤタグ付きラベルに対して前記書き込み部から前記物品情報を書き込むとともに、前記印字部で前記物品情報を印字してなる、
ことを特徴とする請求項６に記載の物品管理システム。
【請求項８】
前記ラベル貼付機は、前記物品情報が入力される第１入力部を有し、
この第１入力部は、物品に付された情報コードを読み取る情報コードリーダであることを特徴とする請求項６または７に記載の物品管理システム。
【請求項９】
前記物品情報が入力される第２入力部と、前記第２入力部に接続し、前記第２入力部で入力された前記物品情報を前記ラベル貼付機に無線送信する第２通信部とを備えた情報入力装置を有し、
前記ラベル貼付機は、前記情報入力装置から無線送信された前記物品情報を受信して、前記物品情報を前記書き込み部および前記印字部に出力する第１通信部を備えた、
ことを特徴とする請求項６または７に記載の物品管理システム。
【請求項１０】
前記第２入力部は、物品に付された情報コードを読み取る情報コードリーダであることを特徴とする請求項９に記載の物品管理システム。
【発明の詳細な説明】
【技術分野】
【０００１】
本発明は、物品管理方法および物品管理システムに係り、特に無線ＩＣタグを用いて行われる物品管理方法および物品管理システムに関する。
【背景技術】
【０００２】
小売業界等では、超小型の無線ＩＣタグであるＲＦＩＤ（Ｒａｄｉｏ  Ｆｒｅｑｕｅｎｃｙ  Ｉｄｅｎｔｉｆｉｃａｔｉｏｎ）タグを用いて商品管理を行っている。この商品管理の一例としては、次のものがある。まず店舗に陳列される各商品に無線ＩＣタグをとりつけ、この無線ＩＣタグに商品コード等の商品情報を記憶させる。また店舗には、無線ＩＣタグに記憶された商品コードの読取装置を会計場に配設するとともに、商品の不正な持ち出しを監視する警報装置を出入口に配設する。
【０００３】
そして顧客が持ってきた商品を読取装置のそばに置くと、無線ＩＣタグに記憶された商品情報が読取装置によって無線で読取される。読み取られた商品情報は、読取装置に接続されたＰＯＳ（Ｐｏｉｎｔ  ｏｆ  Ｓａｌｅｓ）システムに転送され、ＰＯＳシステムにおいて売上データが登録処理される。この登録処理がされると、読取装置から無線ＩＣタグに対して商品情報クリアの指示が無線送信され、無線ＩＣタグに記憶された商品情報が消去される。
【０００４】
これに対し、会計処理を行わずに商品を店舗から持ち出そうとした場合、無線ＩＣタグには商品情報が記憶されたままなので、店舗の出入口に設置された警報装置が無線ＩＣタグから商品情報を読み取ると警報を発する（例えば、特許文献１を参照）。
【特許文献１】特開２０００−３０１５０号公報
【発明の開示】
【発明が解決しようとする課題】
【０００５】
店舗に陳列される商品には、値段や消費期限等が印字されたラベルを貼付する場合がある。このため、無線ＩＣタグを使って店舗に陳列される商品の管理を行う場合には、値段や消費期限等が印字されたラベルとともに、無線ＩＣタグも貼付しなければならず、ラベルと無線ＩＣタグのいずれも商品に貼付するのに、とても手間がかかる問題がある。
本発明は、ＲＦＩＤタグおよびラベルを一度に物品に貼付して、物品管理を行う物品管理方法および物品管理システムを提供することを目的とする。
【課題を解決するための手段】
【０００６】
上記目的を達成するために、本発明に係る物品管理方法は、ＲＦＩＤタグ付きラベルを物品に貼付し、前記ＲＦＩＤタグに記憶された物品情報を読み取って前記物品を管理する物品管理方法であって、ラベル貼付機に設けられた印字部でラベルに物品情報を印字するとともに、印字された前記ラベルに付されたＲＦＩＤタグに対して前記ラベル貼付機に設けられた書き込み部で物品情報を書き込んで、前記ＲＦＩＤタグ付きラベルを前記物品に貼付し、前記ＲＦＩＤタグから出力される電波を読取装置で無線読み取りして、前記ＲＦＩＤタグに記憶された前記物品情報を得て、読み取った物品情報を集計する、ことを特徴としている。なお前記読取装置は、複数の前記物品から前記物品情報を一度に読み取りすることが可能である。
【０００７】
また前記ＲＦＩＤタグに書き込まれる前記物品情報は、前記ラベル貼付機から離れた所に設けられた情報入力装置で入力され、無線通信により前記ラベル貼付機に設けられた前記書き込み部に出力されることを特徴としている。
また前記物品に付された情報コードを読み取って、この情報コードに記録されている情報を前記物品情報とすることを特徴としている。
【０００８】
また前記物品は、店舗に陳列される商品であり、前記ラベル貼付機に設けられた前記印字部で前記ラベルに商品情報を印字するとともに、前記ラベル貼付機に設けられた前記書き込み部で前記ＲＦＩＤタグに商品の商品情報を書き込み、前記読取装置は、前記商品情報と前記商品の価格との対応付けを予め記憶して、前記ＲＦＩＤタグから読み取った前記識別情報から前記商品の価格を集計する、ことを特徴としている。この場合、前記ラベルに印字される前記商品情報は、商品価格や消費期限等であり、前記ＲＦＩＤタグに書き込まれる前記商品情報は商品の識別番号や商品価格、消費期限等である。
【０００９】
また前記読取装置は、前記集計が終わると、前記物品に集計済み情報を書き込むことを特徴としている。この場合、店舗の出入り口に警報装置を配置しておけば、この店舗から持ち出される物品を監視することが可能になる。
【００１０】
また本発明に係る物品管理システムは、ＲＦＩＤタグへの物品情報の書き込み部およびラベルへの物品情報の印字部を備えたラベル貼付機を用いて前記ＲＦＩＤタグに前記物品情報が書き込まれるとともに、前記ラベルに前記物品情報が印字され、前記ラベル貼付機を用いて物品に貼付されたＲＦＩＤタグ付きラベルと、ＲＦＩＤタグに記憶された前記物品情報を無線電波により読み取って、前記物品情報の集計を行う読取装置と、を備えたことを特徴としている。この場合、読取装置は、前記ＲＦＩＤタグに集計済み情報を書き込むことが可能な構成にすることができる。
【００１１】
また前記ラベル貼付機は、前記ＲＦＩＤタグ付きラベルが供給される搬送路を有し、前記搬送路の周囲に、前記書き込み部から放射される電磁波の遮蔽手段を配設し、前記搬送路の先端部を当該電磁波遮蔽手段から露出させて、前記先端部に前記書き込み部および前記印字部を配設し、前記先端部に供給された前記ＲＦＩＤタグ付きラベルに対して前記書き込み部から前記物品情報を書き込むとともに、前記印字部で前記物品情報を印字してなる、ことを特徴としている。
【００１２】
この場合、前記ラベル貼付機は、前記物品情報が入力される第１入力部を有し、この第１入力部は、物品に付された情報コードを読み取る情報コードリーダであることを特徴としている。
【００１３】
また前記物品情報が入力される第２入力部と、前記第２入力部に接続し、前記第２入力部で入力された前記物品情報を前記ラベル貼付機に無線送信する第２通信部とを備えた情報入力装置を有し、前記ラベル貼付機は、前記情報入力装置から無線送信された前記物品情報を受信して、前記物品情報を前記書き込み部および前記印字部に出力する第１通信部を備えた、ことを特徴している。
【００１４】
この場合、前記第２入力部は、物品に付された情報コードを読み取る情報コードリーダにすることができる。
【発明の効果】
【００１５】
物品管理方法および物品管理システムは、書き込み部および印字部を備えたラベル貼付機でＲＦＩＤタグ付きラベルを物品に貼付するので、物品情報が書き込まれたＲＦＩＤタグと物品情報が印字されたラベルを一度に貼付することができ、貼付の手間を省くことができる。またＲＦＩＤタグから無線通信により物品情報を読み取れるので、複数の物品を集計処理する場合でも直に集計を行うことができ、物品管理を容易に行える。
【００１６】
またラベル貼付機に情報コードリーダを設けることができる。このため情報コードのみが付されている物品に対しても、この情報コードを読み取ってＲＦＩＤタグ付きラベルに物品情報を入力し、これをこの物品に貼付すれば、情報コードとＲＦＩＤタグ付きラベルで物品管理を行うことができる。
【００１７】
また情報入力装置で入力された物品情報は、ラベル貼付機に無線送信されて書き込み部および印字部に出力されるので、ラベル貼付機の入力部で物品情報を入力する必要がなくなり、ラベルを貼付する係員はＲＦＩＤタグ付きラベルを貼付することのみに専念できる。そして第２入力部を情報コードリーダにすれば、情報コードをスキャンするだけで物品情報が入力され、この物品情報をラベル貼付機に無線送信してＲＦＩＤタグに書き込むことができるとともにラベルに印字できるので、係員が物品情報を入力する手間を省くことができる。
【００１８】
また物品の集計が終わった後に、ＲＦＩＤタグに集計済み情報を書き込めば、ＲＦＩＤタグから送信される情報が物品情報であるのか集計済み情報であるのかで物品が集計済みであるのか否かを判別することができ、物品管理を行うことができる。
【００１９】
またラベル貼付機は、搬送路の先端部に供給されたＲＦＩＤタグ付きラベル１枚に対してのみに物品情報の書き込みおよび印字が行えるので、ＲＦＩＤタグ付きラベルを連続して貼付していく場合でも、ＲＦＩＤタグに物品情報が２重に書き込まれることがなく、またラベルに物品情報が２重に印字されることがない。したがって、貼付する物品を変える場合でも、ＲＦＩＤタグやラベルのそれぞれに異なる物品情報が２重に書き込みおよび印字されることがないので、物品の誤判別等を防止できる。
【発明を実施するための最良の形態】
【００２０】
以下に、本発明に係る物品管理方法および物品管理システムについて説明する。なお以下の説明では、物品管理システムを店舗に設けて、商品の管理を行う形態について説明する。
【００２１】
まず第１の実施形態について説明する。図１は第１の実施形態に係る物品管理システムの説明図である。図２はＲＦＩＤタグ付きラベルの説明図である。図３はＲＦＩＤタグ付きラベルの供給ロールの説明図である。第１の実施形態に係る物品管理システム１０は、商品に貼付されるＲＦＩＤタグ付きラベル２０と、このＲＦＩＤタグ付きラベル２０を商品に貼付するラベル貼付機３０と、ＲＦＩＤタグ２２に記憶された商品情報（物品情報）を無線で読み取る読取装置４０と、を備えている。
【００２２】
ＲＦＩＤタグ付きラベル２０は、その一例を図２に示すように、ラベル２１の印字面に商品の値段や消費期限等の商品情報が印字され、その裏面に粘着材層が設けられたラベル２１を備えている。このラベル２１には、商品情報が記憶され、この商品情報が無線で送受信されるＲＦＩＤタグ２２が付されている。ＲＦＩＤタグ２２は、図１に示すように、高周波の電磁波を放射するアンテナ２３および通信部２４と、商品情報を記憶する記憶部２５とを備えた構成である。商品情報は、商品を識別できるものであればよく、例えばＪＡＮ（Ｊａｐａｎｅｓｅ  Ａｒｔｉｃｌｅ  Ｎｕｍｂｅｒ）コードであればよい。そしてＲＦＩＤタグ付きラベル２０は、図３に示すように、ロール状に巻かれた帯状の台紙２６上に、印字面を外側に向けて貼り付けられている。
【００２３】
ラベル貼付機３０は、図１に示すように、入力部（第１入力部）３１、書き込み部３２および印字部３３を備え、手に持って移動可能な携帯型である。入力部３１は、ＲＦＩＤタグ付きラベル２０が貼付される商品の商品情報が入力されるものであり、ＲＦＩＤタグ２２に記憶される商品情報およびラベル２１に印字される商品情報のそれぞれが入力される。なお現在流通している様々な商品には商品情報を示す情報コード（バーコードやＱＲコード等の２次元コード等）が付されている。そして店舗等では、この情報コードを読み取ることでこの情報コードが付された商品の商品情報を得て、商品情報の集計や商品管理を行っている。ところが情報コードのみが付されている商品にＲＦＩＤタグ付きラベル２０を貼付する場合は、係員の手作業によって商品情報をラベル貼付機３０に入力しなければならない。このため入力部３１を情報コードリーダとすれば、商品に付された情報コードを入力部３１で読み取り、この商品情報をＲＦＩＤタグ２２に書き込むことができるとともに、ラベル２１に印字できるので、作業員の手作業によって商品情報をラベル貼付機３０に入力する手間を省くことができる。
【００２４】
この入力部３１は、ＲＦＩＤタグ２２に商品情報を記憶させる書き込み部３２と、ラベル２１に商品情報を記載する印字部３３に接続されている。書き込み部３２は、電磁波を放射してＲＦＩＤタグ２２と無線通信することにより、ＲＦＩＤタグ２２の記憶部２５に商品情報を書き込むものである。また印字部３３は、ラベル２１の前記印字面に商品情報を印字するものである。
【００２５】
図４はラベル貼付機の説明図である。ラベル貼付機３０は、上述したロールが取り付けられ、このロールが取り付けられた位置からＲＦＩＤタグ付きラベル２０を商品に貼り付ける貼付部に向かって台紙２６が引き出されている。この貼付部、すなわち台紙２６が引き出された先端部３４において、ＲＦＩＤタグ付きラベル２０が台紙２６から剥されて、商品に貼付される。そして先端部３４にあるＲＦＩＤタグ付きラベル２０が商品に貼付されると、台紙２６が送られて先端部３４に次のＲＦＩＤタグ付きラベル２０を供給するようになっている。なおロールから先端部３４に向かって台紙２６が送られる箇所が、ＲＦＩＤタグ２２の搬送路３５となる。
【００２６】
また貼付部、すなわち搬送路３５の先端部３４には、書き込み部３２および印字部３３が配設されている。さらに搬送路３５の周囲には、書き込み部３２から放射される電磁波の遮蔽手段３６が配設されている。すなわち、搬送路３５の先端部３４にあるＲＦＩＤタグ付きラベル２０のみが電磁波遮蔽手段３６から露出するようになっている。この電磁波遮蔽手段３６は、電磁波を遮蔽するものであればよく、例えば金属板等であればよい。
【００２７】
このようなラベル貼付機３０は、例えば、ラベル２１に価格等の商品情報を印字して商品に貼付するハンドラベラーに、入力部３１、書き込み部３２および印字部３３を設けた構成であればよい。これによりラベル貼付機３０は、手に持って移動可能になる。
【００２８】
読取装置４０は、商品に貼付されたＲＦＩＤタグ付きラベル２０のＲＦＩＤタグ２２と無線通信するものであり、例えば店舗の会計場に配設される。この読取装置４０は、図１に示すように、アンテナ４１、通信部４２、記憶部４３、入力部４４、処理部４５および表示部４６を備えた構成である。通信部４２は、アンテナ４１を介してＲＦＩＤタグ２２と無線通信を行うものであり、ＲＦＩＤタグ２２から送信された商品情報を受信して処理部４５に出力するものである。記憶部４３は、商品情報、例えばＪＡＮコードと商品の値段とが対応付けされて保存されるものである。入力部４４は、商品情報や値段等が入力されるものであり、例えばキーボードや情報コードリーダであればよい。処理部４５は、入力部４４から入力された商品情報や値段等のデータを記憶部４３に記憶させたり、ＲＦＩＤタグ２２から受信した商品情報に対応する値段を記憶部４３から読み出したり、ＲＦＩＤタグ２２から入力した商品情報を集計するものである。この集計は、例えば、複数の商品情報を入力した場合に、当該商品の合計金額を計算するものである。表示部４６は、処理部４５の集計結果や、入力部４４から入力されたデータを表示するものである。
【００２９】
次に、物品管理方法について説明する。まずＲＦＩＤタグ付きラベル２０に商品情報を記録するために、ラベル貼付機３０に商品情報が入力される。すなわち書き込み部３２でＲＦＩＤタグ２２に書き込まれる商品情報と、印字部３３でラベル２１に印字される商品情報が、ラベル貼付機３０の入力部３１から入力される。この商品情報は、書き込み部３２および印字部３３に出力される。そしてラベル搬送路３５の先端部３４には、１枚のＲＦＩＤタグ付きラベル２０が台紙２６によってロールから搬送されているので、このＲＦＩＤタグ付きラベル２０に対して、書き込み部３２から無線電波を放射してＲＦＩＤタグ２２に商品情報を送信する。送信された商品情報は、ＲＦＩＤタグ２２に設けられたアンテナ２３および通信部２４を介して記憶部２５に書き込まれる。また搬送路３５の先端部３４にあるＲＦＩＤタグ付きラベル２０の印字面に、印字部３３を用いて商品情報が記載される。なお搬送路３５にある他のＲＦＩＤタグ付きラベル２０、すなわち先端部３４にあるＲＦＩＤタグ付きラベル２０以外のラベル２０は、電磁波遮蔽手段３６に周囲を覆われているので、書き込み部３２からの商品情報を受信することはない。また印字部３３は、先端部３４に設けられているので、他のＲＦＩＤタグ付きラベル２０にも商品情報が印字されることはない。
【００３０】
そしてＲＦＩＤタグ付きラベル２０は、ＲＦＩＤタグ２２に商品情報が書き込まれるとともに、ラベル２１に商品情報が印字されると、台紙２６から剥されて商品に貼付される。ＲＦＩＤタグ付きラベル２０が商品に貼付されると、搬送路３５の先端部３４、すなわち貼付部に向けて台紙２６が送られて、ＲＦＩＤタグ付きラベル２０が１枚供給される。このような動作を繰り返して、ＲＦＩＤタグ付きラベル２０がラベル貼付機３０を用いて商品に貼付される。ＲＦＩＤタグ付きラベル２０が貼付された商品は、店舗に陳列される。
【００３１】
読取装置４０では、ＲＦＩＤタグ２２に記憶された商品情報と商品価格との対応付けが入力部４４から入力されて、予め記憶部４３に保存されている。顧客は陳列されている商品を購入する場合、商品を会計場に持っていき会計を行う。そして読取装置４０は、商品が読取装置４０のそばに置かれると、ＲＦＩＤタグ２２に記憶された商品情報を無線通信により読み取る。このとき読取装置４０は、商品が複数ある場合でも、各ＲＦＩＤタグ２２に記憶された商品情報を無線通信により読み取る。読取装置４０は、読み取った商品情報を処理部４５に送り、記憶部４３に保存されている商品情報に対応した商品価格を読み出して、商品の金額を集計する。この集計結果は、表示部４６で表示される。これにより店舗側は、商品情報を集計することにより、顧客がどのような商品を購入したのか、商品の在庫はどのくらいあるのか等の商品管理を行える。
【００３２】
このような物品管理方法および物品管理システム１０によれば、ラベル貼付機３０でＲＦＩＤタグ付きラベル２０を商品に貼付すれば、商品情報が書き込まれたＲＦＩＤタグ２２と、商品情報が印字されたラベル２１を一度に貼付することができるので、従来のようにＲＦＩＤタグおよびラベルのいずれも貼付する手間を省くことができる。
【００３３】
またＲＦＩＤタグ２２から無線通信により商品情報を読み取れるので、複数の商品を会計処理する場合でも直に合計金額を集計でき、商品管理を容易に行える。
【００３４】
また情報コードのみが付されている商品であっても、この情報コードを情報コードリーダで読み取ってＲＦＩＤタグ付きラベルに商品情報を入力し、これをこの商品に貼付することができるので、情報コードとＲＦＩＤタグ付きラベルで商品管理を行うことができる。
【００３５】
さらに商品に貼付される１枚のＲＦＩＤタグ付きラベル２０に対してのみ、すなわち搬送路３５の先端部３４にあるＲＦＩＤタグ付きラベル２０に対してのみ商品情報の書き込みおよび印字が行えるので、ＲＦＩＤタグ付きラベル２０を連続して貼付していく場合でも、ＲＦＩＤタグ２２に商品情報が２重に書き込まれることがなく、またラベル２１に商品情報が２重に印字されることがない。したがって、ＲＦＩＤタグ付きラベル２０が貼付される商品を変える場合でも、ＲＦＩＤタグ２２やラベル２１のそれぞれに異なる商品情報が２重に書き込みおよび印字されることがないので、商品の誤判別等を防止できる。
【００３６】
なお上述した実施形態では、商品情報は商品を識別できるものであればよいとした形態であるが、商品の価格も書き込む形態であってもよい。すなわち、一例としては、ＲＦＩＤタグ２２にＪＡＮコードおよび商品価格を商品情報として書き込む形態であってもよい。この形態の場合は、読取装置４０に記憶部４３を設ける必要は無く、処理部４５で商品価格を集計する構成にすればよい。
【００３７】
また上述した実施形態では、読取装置４０は例えば会計場に設けられる構成としたが、読取装置を手に持って移動可能とした構成にすることもできる。この場合、手持ち移動可能な読取装置は、少なくともアンテナや通信部、処理部、表示部を備えた構成であればよい。そして手持ち移動可能な読取装置を陳列されている商品にかざしていけば、ＲＦＩＤタグ２２に記憶されている商品情報が読取装置によって読み取られ、陳列されている商品の集計を行うことができる。これにより商品管理を行うことができる。
【００３８】
次に、第２の実施形態について説明する。第２の実施形態に係る物品管理システムは、第１の実施形態に係る物品管理システムに警報装置を加えた構成である。したがって第２の実施形態では、第１の実施形態に係る物品管理システムと同構成の部分に同番号を付し、その説明を省略または簡略する。
【００３９】
まず会計場に設置される読取装置４０は、商品に貼付されたＲＦＩＤタグ付きラベル２０のＲＦＩＤタグ２２との間で、情報を送受信するようになっている。具体的には、図１に示すように、読取装置４０の通信部４２は、アンテナ４１を介してＲＦＩＤタグ２２と無線通信を行う構成であり、ＲＦＩＤタグ２２から送信された商品情報を受信して処理部４５に出力するとともに、処理部４５から入力した情報をＲＦＩＤタグ２２に送信する構成である。そして読取装置４０からＲＦＩＤタグ２２に送信される情報は、例えば集計処理（会計処理）を終えたことを示す集計済み情報であればよい。
【００４０】
図５は警報装置の説明図である。警報装置５０は、店舗から不正に持ち出される商品を監視するものであり、店舗の出入口に設けられる。警報装置５０は、アンテナ５１、通信部５２、処理部５３および警報部５４を備えており、アンテナ５１および通信部５２は、第１の実施形態で説明した読取装置４０のアンテナ４１や通信部４２と同構成であればよい。処理部５３は、通信部５２から入力したＲＦＩＤタグ２２からの情報が商品情報および集計済み情報のいずれかであるかを識別し、商品情報である場合には、警報部５４を動作させる信号を出力するものである。警報部５４は、この信号を入力すると店員に商品の不正な持ち出しを知らせるものであり、例えば警報音を発したり、警告灯が点灯したり等するものであればよい。
【００４１】
次に、物品管理方法について説明する。顧客が商品を会計場に持って行き、読取装置４０を使った集計処理（会計処理）が終わると、読取装置４０の処理部４５から通信部４２およびアンテナ４１を介してＲＦＩＤタグ付きラベル２０に集計済み情報が無線送信され、ＲＦＩＤタグ２２に設けられた記憶部２５に集計済み情報が書き込まれる。そして警報装置５０は、集計処理の終わった商品を持って顧客が店舗から出るときに、この商品に貼付されたＲＦＩＤタグ２２から情報を読み取る。警報装置５０は、ＲＦＩＤタグ２２から読み取った情報が集計済み情報であるか商品情報であるかを処理部５３で識別し、この場合は集計済み情報であるので警報を発することはない。
【００４２】
ところが集計処理の終わっていない商品を不正に店舗から持ち出す場合は、ＲＦＩＤタグ２２に集計済み情報が記憶されていない。この場合も警報装置５０は、この商品を持った顧客が店舗から出るときに、この商品に貼付されたＲＦＩＤタグ２２から情報を読み取る。すると警報装置５０は、ＲＦＩＤタグ２２から読み取った情報が集計済み情報であるか商品情報であるかを処理部５３で識別し、この場合は商品情報であるので警報部５４に信号を出力して、警報部５４で警報を発する。この警報により、店員は、商品の不正持ち出しを確認することが可能になる。
【００４３】
このような物品管理方法および物品管理システムは、店舗の出入口に警報装置５０を設置し、この警報装置５０でＲＦＩＤタグ２２に記憶された商品情報および集計済み情報に基づいて商品の不正持ち出しを監視しているので、商品管理を行うことができる。
【００４４】
次に、第３の実施形態について説明する。第３の実施形態に係る物品管理システムは、第１，２の実施形態に係る物品管理システムに情報入力装置を設けるとともに、ラベル貼付機を情報入力装置との間で無線通信可能にしたものである。したがって第３の実施形態では、第１，２の実施形態に係る物品管理システムと同構成の部分に同番号を付し、その説明を省略または簡略する。
【００４５】
図６は第３の実施形態における情報入力装置およびラベル貼付機の説明図である。第３の実施形態に係る物品管理システムは、情報入力装置６０を備えている。情報入力装置６０は、アンテナ６１、通信部（第２通信部）６２および入力部（第２入力部）６３を備えている。入力部６３は、ＲＦＩＤタグ付きラベル２０に書き込みおよび印字される商品情報が入力されるものであり、例えばキーボードや情報コードリーダ等であればよい。また通信部６２およびアンテナ６１は、この商品情報を無線通信によりラベル貼付機３０へ送信するものである。
【００４６】
ラベル貼付機３０は、第１の実施形態で説明したラベル貼付機に、アンテナ３７および通信部（第１通信部）３８を備えた構成である。アンテナ３７および通信部３８は、情報入力装置６０から送信された商品情報を受信して、書き込み部３２および印字部３３に出力するものである。
【００４７】
次に、物品管理方法について説明する。情報入力装置６０の入力部６３で入力されたＲＦＩＤタグ２２に書き込まれる商品情報およびラベル２１に印字される商品情報は、通信部６２およびアンテナ６１を介してラベル貼付機３０に無線送信される。ラベル貼付機３０は、アンテナ３７および通信部３８を用いてこれらの商品情報を受信すると、ＲＦＩＤタグ２２に書き込まれる商品情報を書き込み部３２に出力し、ラベル２１に印字される商品情報を印字部３３に出力する。書き込み部３２および印字部３３は、第１の実施形態で説明した書き込み部および印字部と同様に動作し、搬送路の先端部にあるＲＦＩＤタグ付きラベル２０に対して商品情報を書き込みおよび印字する。そして、このＲＦＩＤタグ付きラベル２０は、商品に貼付される。
【００４８】
なお入力部６３を情報コードリーダとすれば、商品に付された情報コードを入力部６３で読み取って、この商品の商品情報をラベル貼付機３０に無線送信し、この商品情報をＲＦＩＤタグ２２に書き込むことができるとともに、ラベル２１に印字できるので、作業員の手作業によって商品情報をラベル貼付機３０に入力する手間を省くことができる。
【００４９】
このような物品管理方法および物品管理システムは、情報入力装置６０で入力された商品情報がラベル貼付機３０に無線送信されて、ＲＦＩＤタグ付きラベル２０に書き込みおよび印字されるので、ラベル貼付機３０の入力部３１で商品情報を入力する必要がなくなり、店員はＲＦＩＤタグ付きラベル２０を貼付することのみに専念できる。
【００５０】
なお情報入力装置６０から無線送信される商品情報は、店舗の会計場にある読取装置で受信されるようにして、受信した商品情報を記憶部に保存する構成としてもよい。これにより、商品情報をラベル貼付機３０および読取装置に一度に送信できるので、読取装置の入力部や、ラベル貼付機３０の入力部で商品情報を入力する手間を省くことができる。
【００５１】
そして、上述した物品管理方法および物品管理システムは、第１〜第３の実施形態で説明したように、店舗に陳列される商品を管理するばかりでなく、工場で製造される物品や倉庫に保管される物品等にＲＦＩＤタグ付きラベルを貼付して、物品の管理を行うこともできる。
【図面の簡単な説明】
【００５２】
【図１】第１の実施形態に係る物品管理システムの説明図である。
【図２】ＲＦＩＤタグ付きラベルの説明図である。
【図３】ＲＦＩＤタグ付きラベルの供給ロールの説明図である。
【図４】ラベル貼付機の説明図である。
【図５】警報装置の説明図である。
【図６】第３の実施形態における情報入力装置およびラベル貼付機の説明図である。
【符号の説明】
【００５３】
１０………物品管理システム、２０………ＲＦＩＤタグ付きラベル、２１………ラベル、２２………ＲＦＩＤタグ、３０………ラベル貼付機、３２………書き込み部、３３………印字部、４０………読取装置、５０………警報装置、６０………情報入力装置。
【図１】
2006327822.tif 000003
【図２】
2006327822.tif 000004
【図３】
2006327822.tif 000005
【図４】
2006327822.tif 000006
【図５】
2006327822.tif 000007
【図６】
2006327822.tif 000008